(57)【要約】【課題】光検出器を光ピックアップのハウジングの所定位置に正確に接着して固定することが可能な光ピックアップを提供する。【解決手段】レーザー光を照射する光源と、該光源から出射されたレーザー光を光ディスクの記録面に集光する対物レンズと、記録面で反射された反射光を受光する光検出器と、これらを支持するハウジングを備えた光ピックアップにおいて、光検出器９を搭載しているフレキシブル基板Ｆを所定角度湾曲した形状で接着固定する際に、ハウジング２２に、湾曲したフレキシブル基板Ｆの湾曲姿勢の復元を抑制する復元抑制部２４を設けた構成の光ピックアップ１とした。【選択図】図１
2011113585.tif 000002
【特許請求の範囲】
【請求項１】
レーザー光を照射する光源と、該光源から出射されたレーザー光を光ディスクの記録面に集光する対物レンズと、記録面で反射された反射光を受光する光検出器と、これらを支持するハウジングを備えた光ピックアップにおいて、
前記光検出器がフレキシブル基板に搭載され、該フレキシブル基板が所定角度湾曲した形状で前記光検出器が前記ハウジングに接着固定されると共に、
前記ハウジングに、湾曲した前記フレキシブル基板の湾曲姿勢の復元を抑制する復元抑制部を設けたことを特徴とする光ピックアップ。
【請求項２】
前記復元抑制部が、前記ハウジングを構成する一面のカバー部材を、湾曲した前記フレキシブル基板の配設位置を超える位置まで延設した延設部と、当該フレキシブル基板の湾曲部方向に折り曲げた折曲部から構成されることを特徴とする請求項１に記載の光ピックアップ。
【請求項３】
前記折曲部の折り曲げ高さを、湾曲した前記フレキシブル基板の先端部が係合する程度の高さとしたことを特徴とする請求項２に記載の光ピックアップ。
【請求項４】
前記光検出器の側部と前記ハウジング間に設ける接着剤塗布部に加えて前記延設部を接着剤塗布部としたことを特徴とする請求項１から３のいずれかに記載の光ピックアップ。
【発明の詳細な説明】
【技術分野】
【０００１】
本発明は、光ディスクにレーザー光を照射してデータの記録又は再生を行う光ピックアップに関する。
【背景技術】
【０００２】
従来、円盤状記憶媒体として、ＣＤ（コンパクトディスク）やＤＶＤ（デジタル多用途ディスク）やＨＤ−ＤＶＤ（高密度ＤＶＤ）やブルーレイディスクなどの、多種類の光ディスクが実用化されている。このような多種類の光ディスクの再生または記録を行う光ディスク装置においては、光ディスクの記録面に対し光ピックアップよりレーザー光を照射し、光ディスクからの反射光を光検出器で検出する構成とされている。
【０００３】
従来の光ピックアップ１は、例えば図４に示すように、光源となるレーザーダイオード２と、偏光ビームスプリッタ３と、コリメートレンズ４と、立ち上げミラー５と、１／４波長板６と、対物レンズ７と、シリンドリカルレンズ８と、光検出器９とを備える。
【０００４】
レーザーダイオード２から出射されたレーザー光（直線偏光）は、偏光ビームスプリッタ３を透過し、コリメートレンズ４によって平行光とされ、立ち上げミラー５によって光ディスク２０の記録面２０ａに向けて反射され、１／４波長板６によって円偏光とされ、対物レンズ７によって光ディスク２０の記録面２０ａに集光される。
【０００５】
また、光ディスク２０の記録面２０ａで反射された反射光は、対物レンズ７を通過後、１／４波長板６で円偏光から直線偏光に変換する。この際に、レーザーダイオード２から出射されたレーザー光（直線偏光）に対して偏光方向が９０°回転した直線偏光とされ、立ち上げミラー５で反射され、コリメートレンズ４を通過後、偏光ビームスプリッタ３で反射され、シリンドリカルレンズ８で非点収差を与えられて、光検出器９上にビームスポットを形成する。
【０００６】
偏光ビームスプリッタ３は、偏光方向が互いに直交する二つの直線偏光の一方を透過させ、他方の直線偏光を反射させる機能を有し、レーザーダイオード２が出射するレーザー光を透過し、光ディスク２０が反射したレーザー光を光検出器９に向けて反射する。光検出器９は、受光したレーザー光が有する光情報を電気信号に変換する。
【０００７】
なお、光検出器９は、フォトダイオードチップ等の受光素子を有し、この受光素子の上には光透過性の透明ガラスで形成されるカバーグラスが配置されている。また、この光検出器９は、フレキシブル基板に前述した受光素子を搭載した形状とされ、光ピックアップのハウジングの所定位置に接着剤を用いて固定される。
【０００８】
このような光学系を有する光ピックアップ１では、光ディスク２０の記録面２０ａに対する光学的処理性能、つまり、記録再生性能の良否が、上記した光学系を構成する光学部品によって形成される光路が適正に形成されているか否かによって影響を受けるほか、光検出器９におけるフォーカス方向の位置ずれの有無や位置ずれの程度によっても影響を受ける。
【０００９】
そのために、この光ピックアップのハウジングに固定される光検出器９の位置と姿勢は重要であり、光ピックアップの製造時には、一般に所定の冶具を用いて、この光検出器９、および、光検出器９を搭載したフレキシブル基板を所定位置に正しい姿勢に規定した状態で接着固定している。
【００１０】
また、光検出器の位置ずれを抑制するための種々の方策が検討されており、例えば、特許文献１には、光軸と直交する方向の外周囲端面を、この端面と対向して設ける取付台の接合面と接着固定して、フォーカス方向の位置ずれを抑制する光ピックアップが開示されている。また、特許文献２には、光検出器の位置調整を行い易くし、さらに、固定後の接着剤への負荷を軽減するフレキシブルプリント基板の取付構造が開示されている。
【先行技術文献】
【特許文献】
【００１１】
【特許文献１】特開２００８−２９３５４６号公報
【特許文献２】特開２００５−３１７０８１号公報
【発明の概要】
【発明が解決しようとする課題】
【００１２】
所定の冶具を用いることで、光検出器を光ピックアップのハウジングの所定位置に正確に接着して固定することは可能である。
【００１３】
しかし、光検出器を搭載したフレキシブル基板を９０°湾曲させた姿勢で光ピックアップのハウジングに取り付ける場合は、使用するフレキシブル基板の曲げ剛性により、湾曲させた角度が復元してしまう場合が生じて、正確な姿勢を維持した状態で冶具で把持することは困難である。このように、フレキシブル基板を湾曲させた姿勢で取り付ける際に一旦湾曲させても、冶具を装着するまでに、その湾曲度合いが徐々に開放されてしまい、冶具で正確に把持できない場合が生じてしまう。
【００１４】
そのために、フレキシブル基板を所定角度湾曲して光ピックアップのハウジングに取り付ける場合でも、その湾曲姿勢を維持した状態で、所定の冶具を用いて把持可能とし、光検出器を光ピックアップのハウジングの所定位置に正確に接着して固定可能な光ピックアップが求められる。
【００１５】
本発明は、上記問題点に鑑み、光検出器を光ピックアップのハウジングの所定位置に正確に接着して固定することが可能な光ピックアップを提供することを目的とする。
【課題を解決するための手段】
【００１６】
上記目的を達成するために本発明は、レーザー光を照射する光源と、該光源から出射されたレーザー光を光ディスクの記録面に集光する対物レンズと、記録面で反射された反射光を受光する光検出器と、これらを支持するハウジングを備えた光ピックアップにおいて、前記光検出器がフレキシブル基板に搭載され、該フレキシブル基板が所定角度湾曲した形状で前記光検出器が前記ハウジングに接着固定されると共に、前記ハウジングに、湾曲した前記フレキシブル基板の湾曲姿勢の復元を抑制する復元抑制部を設けたことを特徴としている。
【００１７】
この構成によると、ハウジングに設けた復元抑制部を介して、光検出器を所定位置に配置させるように湾曲させたフレキシブル基板の湾曲姿勢が復元することを抑制するので、所定の冶具を用いて光ピックアップを製造する際に、光検出器を搭載したフレキシブル基板を確実に把持することが可能となり、光検出器を光ピックアップのハウジングの所定位置に正確に接着して固定することが可能な光ピックアップを得ることができる。
【００１８】
また本発明は、上記構成の光ピックアップにおいて、前記復元抑制部が、前記ハウジングを構成する一面のカバー部材を、湾曲した前記フレキシブル基板の配設位置を超える位置まで延設した延設部と、当該フレキシブル基板の湾曲部方向に折り曲げた折曲部から構成されることを特徴としている。この構成によると、湾曲させたフレキシブル基板の復元しようとする方向に折曲部を設けることで、湾曲した状態から復元しようとするフレキシブル基板をこの折曲部に当接させて復元方向の変位を確実に抑制し、フレキシブル基板の湾曲姿勢を保持することができる。
【００１９】
また本発明は、上記構成の光ピックアップにおいて、前記折曲部の折り曲げ高さを、湾曲した前記フレキシブル基板の先端部が係合する程度の高さとしたことを特徴としている。この構成によると、湾曲させたフレキシブル基板の復元を確実に抑制できるとともに、この光検出器を搭載している基板の側部を把持する冶具の動作を邪魔しない程度の高さとすることができ、冶具を用いた光検出器の取付作業を容易に行うことができる。
【００２０】
また本発明は、上記構成の光ピックアップにおいて、前記光検出器の側部と前記ハウジング間に設ける接着剤塗布部に加えて前記延設部を接着剤塗布部としたことを特徴としている。この構成によると、光検出器の接着強度を上げることができ、所定の光路に正確に位置合わせした姿勢で、さらに強固に固定することができる。
【発明の効果】
【００２１】
本発明によれば、光検出器を搭載したフレキシブル基板の湾曲姿勢の復元を抑制する復元抑制部を設けたので、所定の冶具を用いて光ピックアップを製造する際に、光検出器を搭載したフレキシブル基板を確実に把持することが可能となって、光検出器を光ピックアップのハウジングの所定位置に正確に接着して固定可能な光ピックアップを得ることができる。
【図面の簡単な説明】
【００２２】
【図１】本発明に係る光ピックアップが備える光検出器の取付作業の概略説明図である。
【図２】従来の光ピックアップが備える光検出器の取付作業の概略説明図である。
【図３】光検出器の取付部を示す要部拡大図である。
【図４】光ピックアップの構成を示す概略説明図である。
【発明を実施するための形態】
【００２３】
以下に本発明の実施形態を図面を参照して説明する。また、同一構成部材については同一の符号を用い、詳細な説明は適宜省略する。
【００２４】
本実施形態の光ピックアップ１は、光ディスク２０にレーザー光を照射してデータの記録又は再生を行う光学装置であって、例えば、図４に示すように、光源となるレーザーダイオード２と、偏光ビームスプリッタ３と、コリメートレンズ４と、立ち上げミラー５と、１／４波長板６と、対物レンズ７と、シリンドリカルレンズ８と、光検出器９とを備えていて、対物レンズ７を用いてレーザー光を光ディスク２０の記録面２０ａに集光させている。
【００２５】
レーザーダイオード２は、所定波長のレーザー光を出射する半導体レーザーであって、光ディスク２０に対応して選択される。また、一種類の光ディスク２０に対応した一つのレーザーダイオード２を備えた光ピックアップ１として図示しているが、複数種類の光ディスク２０に対応した複数のレーザーダイオード２を備えた光ピックアップであってもよい。
【００２６】
偏光ビームスプリッタ３は、偏光方向が互いに直交する二つの直線偏光の一方を透過させ、他方の直線偏光を反射させる機能を有し、レーザーダイオード２が出射するレーザー光を透過し、光ディスク２０が反射したレーザー光を光検出器９に向けて反射する。光検出器９は、受光したレーザー光が有する光情報を電気信号に変換する。
【００２７】
コリメートレンズ４は、入射するレーザー光を平行光に変換する機能を有する。また、このコリメートレンズ４をコリメートレンズ駆動ユニット１０に組み込んで光軸方向に移動可能として、コリメートレンズ４を通過するレーザー光の収束発散状態を調整可能とする球面収差補正機構１１を構成している。
【００２８】
立ち上げミラー５は、コリメートレンズ４から送られるレーザー光を光ディスク２０に向けて反射する。また、１／４波長板６は、直線偏光を円偏光に変換し、円偏光を直線偏光に変換する機能を有し、立ち上げミラー５が反射した直線偏光のレーザー光を円偏光に変換して対物レンズ７に入射し、光ディスク２０から反射される円偏光のレーザー光を直線偏光に変換して、立ち上げミラー５からコリメートレンズ４に入射させる。
【００２９】
対物レンズ７は、レーザー光を集光して光ディスク２０の記録面２０ａに照射し、記録面２０ａから反射されたレーザー光を受光して１／４波長板６に入射させる。
【００３０】
この対物レンズ７は、レーザー光を光ディスク２０の記録面２０ａにスポットとして集光させる機能を有するが、ガラスレンズと比較して軽量であり、また大量生産が可能でコストが安いプラスチックレンズを使用することが好ましい。
【００３１】
また、例えば、対物レンズ７と１／４波長板６とを共にアクチュエータ１２に搭載して、フォーカス方向とトラッキング方向に移動可能としている。
【００３２】
シリンドリカルレンズ８は、光ディスク２０の記録面２０ａから反射されたレーザー光に非点収差を与える機能を有し、この非点収差をフォーカスエラー検出に用いることができる。
【００３３】
光検出器９から出力される電気信号は、信号処理部１３に送られる。信号処理部１３は、光検出器９から受け取った電気信号を処理して、ＲＦ信号、フォーカスエラー信号（ＦＥ信号）、トラッキングエラー信号（ＴＥ信号）等を生成する。なお、ＲＦ信号によって情報の読み出しが行われ、ＦＥ信号、ＴＥ信号に基づいてフォーカシング制御やトラッキング制御が行われる。
【００３４】
制御部１４は、光ピックアップ装置１の動作全体を制御する機能を有する。例えば、レーザーダイオード駆動回路１５の制御や、球面収差補正機構１１の制御や、前述したアクチュエータ１２の制御などを行う。
【００３５】
また、レーザーダイオード駆動回路１５を備えた基板上にサーミスタ１６を配設して、このサーミスタ１６からの温度情報からレーザーダイオード２の光出力を制御する。さらに、サーミスタ１６の温度情報から対物レンズ７の温度を認識して、得られた温度に応じて対物レンズ７の温度特性を補正する制御を行う。
【００３６】
対物レンズ７の温度特性を補正する制御の一つである球面収差補正機構１１の制御は、制御部１４が信号処理部１３から情報を受け取って行うことも可能であるが、上記したように、サーミスタ１６の温度情報から対物レンズ７の温度を認識して、認識された温度に応じて行うことができる。また、これらを組み合わせることも可能であって、サーミスタ１６の温度情報から所定の補正制御を行い、その後で、信号処理部１３からの信号を用いて微調整することもできる。
【００３７】
光ディスク２０に記録されている信号の読み出し動作や信号の記録動作を行うためには、レーザー光の照射によって生成されるスポットの形状を良好な状態にし、光検出器９に反射光を正確に入射させることが肝要である。そのために、光ピックアップ製造時における光検出器９の取付作業は、光ピックアップのハウジングの所定位置に精度よく設置することが必要である。
【００３８】
次に、光ピックアップ製造時における光検出器９の取付作業について、図１および図２を用いて説明する。図１は、本発明に係る光ピックアップ１が備える光検出器の取付作業の概略説明図であって、図２は、従来の光ピックアップ１Ａが備える光検出器の取付作業の概略説明図である。
【００３９】
光検出器９は、光ピックアップ１、１Ａのハウジング２２の所定位置に固定する必要があるので、この光検出器９を搭載したフレキシブル基板Ｆのフレキ部ＦＦを、ほぼ直角に９０°湾曲させた姿勢で、所定の冶具２１を用いて把持し、微調整した後、光検出器９の側部とハウジング２２の間の空隙部２５に接着剤を塗布して固定している。
【００４０】
フレキシブル基板Ｆは、例えば、第一基板部ＦＫ１とフレキ部ＦＦと、光検出器９と電気的に接続される第二基板部ＦＫ２とを備えていて、フレキ部ＦＦ部を介して湾曲自在とされている。また、冶具２１を用いてフレキシブル基板Ｆを把持する際には、冶具２１の先端部に設けられた把持部２１ａを介して、第二基板部ＦＫ２の両側部を把持するようにしている。
【００４１】
冶具２１は図中の矢印Ｄ方向に移動して、光検出器９におけるフォーカス方向の位置ずれを微調整する。また、把持部２１ａを首振り自在として、光軸に対する姿勢を微調整可能とすることもできる。
【００４２】
ここで、図２に示す従来の光ピックアップ１Ａでは、フレキシブル基板Ｆのフレキ部ＦＦをほぼ直角に９０°湾曲させた後で、冶具２１を用いてフレキシブル基板Ｆを把持しようとするが、フレキ部ＦＦの曲げ剛性によっては、湾曲して変位させた状態Ｆ１から徐々に復元していき、湾曲角度が少し戻った状態Ｆ２となる場合が生じる。
【００４３】
この状態Ｆ２では、冶具２１を介して、フレキシブル基板Ｆの把持を正確に行えなくなってしまうので、本実施形態の光ピックアップ１では、図１に示すように、ハウジング２２に、湾曲したフレキシブル基板Ｆの湾曲姿勢の復元を抑制する復元抑制部２４を設ける構成とした。
【００４４】
この復元抑制部２４は、例えば、光ピックアップ１のハウジング２２を構成する一面のカバー部材２３を、湾曲したフレキシブル基板Ｆの配設位置を超える位置まで延設した延設長さＬの延設部２３ａと、当該フレキシブル基板Ｆの湾曲部方向に折り曲げた折曲部２３ｂから構成することができる。
【００４５】
この折曲部２３ｂの折り曲げ高さＨは、湾曲されたフレキシブル基板Ｆの先端部が係合する程度の高さでよく、また、冶具２１の可動領域を妨害しない程度の高さが好ましい。この構成であれば、湾曲させたフレキシブル基板Ｆの復元を抑制できると共に、冶具を用いた光検出器９の取付作業を容易に行うことができる。
【００４６】
また、延設部２３ａと折曲部２３ｂを備える復元抑制部２４を設ける構成であれば、このハウジングから突設した部分を接着剤塗布部として利用することが可能となる。このように、光検出器９の側部とハウジング間の空隙部２５に設ける接着剤塗布部に加えて延設部２３ａを接着剤塗布部とすることで、光検出器９の接着強度を上げることができ、所定の光路に正確に位置合わせした姿勢で、さらに強固に固定することができる。
【００４７】
例えば、図３に示すように、偏光ビームスプリッタ３を経由してくる反射光の光路３０に正確に合致させた位置に光検出器９を配置して、光検出器９の側部とハウジング２２の間に設ける接着剤塗布部２６に加えて延設部２３ａに接着剤塗布部２７を設けて、光検出器９を強固に接着して固定することができる。
【００４８】
また、光ピックアップ１のハウジング２２を構成する一面のカバー部材２３を延設して屈曲部を設けているので、例えば、アルミ板金製のハウジング２２の枠強度を向上する効果を発揮するとともに、レーザーダイオード２が熱源となって生じる発熱を放熱するヒートシンクの放熱性能を向上させる効果をも発揮する。
【００４９】
さらに、もともと使用しているハウジングのカバー部材の形状を変形させただけなので、新たな部品を追加せずに部品コストを増加せずに、光ピックアップ製造時の光検出器の取付作業を向上させることができる。
【００５０】
また、光検出器の受光面への外的接触が回避でき、傷付き防止や汚れ対策ともなって、種々の不良原因を排除可能な構成となって好適である。特に製造時に、光検出器の受光面を下向き、また、内向きとなるように姿勢を規制しているので、光検出器取付時の受光面の損傷や汚れを防止することができる。
【００５１】
上記したように、本発明に係る光ピックアップによれば、光検出器を搭載したフレキシブル基板の湾曲姿勢の復元を抑制する復元抑制部を設ける構成としたので、所定の冶具を用いて光ピックアップを製造する際に、光検出器を搭載したフレキシブル基板を確実に把持することが可能となって、光検出器を光ピックアップのハウジングの所定位置に正確に接着して固定することが可能な光ピックアップを得ることができる。
【００５２】
さらに、復元抑制部を、ハウジングを構成する一面のカバー部材を延設してフレキシブル基板の湾曲部方向に折り曲げた構成とし、折り曲げ高さを、湾曲したフレキシブル基板の先端部が係合する程度の高さとしたので、湾曲させたフレキシブル基板の復元を抑制できるとともに、この光検出器を搭載している基板の側部を把持する冶具の動作を邪魔しない程度の高さとすることができ、冶具を用いた光検出器の取付作業を容易に行うことができる。
【００５３】
また、カバー部材を延設して形状としているので、この延設部に接着剤塗布部を設けて光検出器の接着強度を上げることができ、ハウジングの枠強度の強化とヒートシンクの放熱性能を高めることができる。
【産業上の利用可能性】
【００５４】
そのために、本発明に係る光ピックアップは、ＤＶＤプレーヤやＤＶＤレコーダなどにおいて、光検出器の取付位置を光学系の正規な光路に正確に合致させた姿勢で取り付け可能とすると共に、光検出器の取付作業を容易とする光ピックアップに好適に適用することができる。
【符号の説明】
【００５５】
１    光ピックアップ
２    レーザーダイオード（光源）
７    対物レンズ
９    光検出器
２０    光ディスク
２０ａ  記録面
２１    冶具
２２    ハウジング
２３    カバー部材
２３ａ  突設部
２３ｂ  折曲部
２４    復元抑制部
Ｆ      フレキシブル基板
ＦＦ    フレキ部
【図１】
2011113585.tif 000003
【図２】
2011113585.tif 000004
【図３】
2011113585.tif 000005
【図４】
2011113585.tif 000006